(57)【特許請求の範囲】
【請求項１】
車両前部に形成されたモータルーム内に、回転軸から延設された出力軸を備えるモータを含むモータユニットと当該モータユニットに連結されたトランスミッションとを含む駆動ユニットが、前記出力軸が車幅方向に延び、かつ、前記トランスミッションが前記モータユニットの車幅方向一方端に位置する姿勢で配設された電動車両において、
前輪のサスペンションの一部を構成し、前記モータルームの下部に配設されたサスクロスメンバと、
前記駆動ユニットの車幅方向両外側に設けられて車両前後方向に延びる一対のフレーム部材と、
前記駆動ユニットの車幅方向一方側の上端部と当該車幅方向一方側に配設された前記フレーム部材とを連結する第１連結機構と、
前記駆動ユニットの車幅方向他方側の上端部と当該車幅方向他方側に配設された前記フレーム部材とを連結する第２連結機構と、
前記駆動ユニットの後側、かつ、下側部分と前記サスクロスメンバとを連結する第３連結機構と、
前端が前記駆動ユニットの前端よりも前方に位置する状態で当該駆動ユニットに取り付けられた剛性部材とを備え、
前記剛性部材は、車両の前突時に当該剛性部材を介して前記駆動ユニットのうち前記出力軸よりも上側の部分に衝突荷重が加えられるように、その下端が前記モータの出力軸よりも上方に位置する状態で前記駆動ユニットに取り付けられており、
前記各連結機構は、車両の前突時に前記剛性部材を介して前記駆動ユニットのうち前記出力軸よりも上側の部分に前方から衝突荷重が加えられた際に、当該駆動ユニットが前記第３連結機構を支点として上方に回動しつつ後方に移動するよう当該駆動ユニットと前記フレーム部材および前記サスクロスメンバとを連結していることを特徴とする電動車両。
【請求項２】
請求項１に記載の電動車両において、
前記トランスミッションの下方に取り付けられたオイルパンを備え、
前記オイルパンは、車両の前突時に前記駆動ユニットが後方に移動するのに伴ってその後端が前記サスクロスメンバに前方から当接する位置に配設されていることを特徴とする電動車両。
【請求項３】
請求項１または２に記載の電動車両において、
前記剛性部材は、車幅方向略中央に配設されていることを特徴とする電動車両。
【請求項４】
請求項１〜３のいずれかに記載の電動車両において、
前記駆動ユニットの上方に配設されて少なくともその後端部分が車体部材により保持された高電圧部品と、当該高電圧部品の後端部に接続された高電圧配線とを備え、
前記高電圧部品は、車両の前突時に前記駆動ユニットおよび当該駆動ユニットに取り付けられた前記剛性部材が上方に回動した際に、前記剛性部材が当該高電圧部品の前部に下方から当接する位置に配設されていることを特徴とする電動車両。
【請求項５】
請求項４に記載の電動車両において、
車体部材に固定されて前記高電圧部品を保持するための保持部材を備え、
前記保持部材は、前記高電圧部品の下面の後端部を下方から保持していることを特徴とする電動車両。
【請求項６】
請求項１〜５いずれかに記載の電動車両において、
前記第１連結機構と第２連結機構の少なくとも一方は、車両の前突時に前記駆動ユニットに前方から荷重が加えられるのに伴って前記駆動ユニットと前記フレーム部材との連結を解除可能であることを特徴とする電動車両。
【請求項７】
請求項６に記載の電動車両において、
前記第１連結機構と第２連結機構の少なくとも一方は、車両の前突時に前記駆動ユニットに前方からの衝突荷重が加えられるのに伴って破断する脆弱部を有し、当該脆弱部の破断により前記駆動ユニットと前記フレーム部材との連結を解除することを特徴とする電動車両。
【請求項８】
請求項１〜７のいずれかに記載の電動車両において、
前記剛性部材は電動コンプレッサであることを特徴とする電動車両。
【発明の詳細な説明】
【技術分野】
【０００１】
本発明は、車両前部にモータルームが形成された電動車両に関する。
【背景技術】
【０００２】
従来より、車両の前突時において車室側に伝播する衝突荷重を小さく抑えるための検討がなされている。
【０００３】
例えば、特許文献１には、車両前部に形成されたモータルーム内にモータを含む駆動ユニットが配設された車両であって、駆動ユニットの前側下部とモータユニットの後側上部が車体側に固定されて、駆動ユニットの前方斜め上方に電動コンプレッサが固定されて、駆動ユニットの後側上部の固定部位が前側下部の固定部位よりも変形容易とされた構造であって、車両の前突時に前記電動コンプレッサに後方斜め下方向きに衝突荷重が加えられてこれに伴い駆動ユニットに後方斜め下方向きの荷重が伝達されることで、前記駆動ユニットの後側上部の固定部位が変形し、これにより駆動ユニットが下方に落下するものが開示されている。
【先行技術文献】
【特許文献】
【０００４】
【特許文献１】特開２００４−１６１２６０号公報
【発明の概要】
【発明が解決しようとする課題】
【０００５】
前記従来の車両では、駆動ユニットに後方斜め下方向きに衝突荷重が加えられることで駆動ユニットが下方に落下するよう構成されている。これに対して、車両の前突時には車両に対して主に水平方向に衝突荷重が加えられるため、前記従来の車両では、前記駆動ユニットを適切に下方に落下させることができず、車室側に伝播する荷重を小さく抑えることができないおそれがある。
【０００６】
本発明は前記の点に鑑みてなされたものであり、車両の前突時に車室側に伝播する荷重をより確実に小さく抑えることができる電動車両を提供することを目的とする。
【課題を解決するための手段】
【０００７】
前記課題を解決するために、本発明は、車両前部に形成されたモータルーム内に、回転軸から延設された出力軸を備えるモータを含むモータユニットと当該モータユニットに連結されたトランスミッションとを含む駆動ユニットが、前記出力軸が車幅方向に延び、かつ、前記トランスミッションが前記モータユニットの車幅方向一方端に位置する姿勢で配設された電動車両において、前輪のサスペンションの一部を構成し、前記モータルームの下部に配設されたサスクロスメンバと、前記駆動ユニットの車幅方向両外側に設けられて車両前後方向に延びる一対のフレーム部材と、前記駆動ユニットの車幅方向一方側の上端部と当該車幅方向一方側に配設された前記フレーム部材とを連結する第１連結機構と、前記駆動ユニットの車幅方向他方側の上端部と当該車幅方向他方側に配設された前記フレーム部材とを連結する第２連結機構と、前記駆動ユニットの後側、かつ、下側部分と前記サスクロスメンバとを連結する第３連結機構と、前端が前記駆動ユニットの前端よりも前方に位置する状態で当該駆動ユニットに取り付けられた剛性部材とを備え、前記剛性部材は、車両の前突時に当該剛性部材を介して前記駆動ユニットのうち前記出力軸よりも上側の部分に衝突荷重が加えられるように、その下端が前記モータの出力軸よりも上方に位置する状態で前記駆動ユニットに取り付けられており、前記各連結機構は、車両の前突時に前記剛性部材を介して前記駆動ユニットのうち前記出力軸よりも上側の部分に前方から衝突荷重が加えられた際に、当該駆動ユニットが前記第３連結機構を支点として上方に回動しつつ後方に移動するよう当該駆動ユニットと前記フレーム部材および前記サスクロスメンバとを連結していることを特徴とする電動車両を提供する。
【０００８】
本発明によれば、車両の前突時に剛性部材に前方から後方に向かって衝突荷重が加えられると、当該剛性部材を介して前記駆動ユニットのうち前記出力軸よりも上側の部分に荷重が伝達され、この荷重を受けて前記駆動ユニットがその後側、かつ、下側部分に連結された前記第３連結機構を支点として上方に回動するので、駆動ユニットに加えられた前方からの荷重を車両後方すなわち車室向きの荷重と上向きの荷重とに分散することができ、駆動ユニットから車室側に伝達される荷重を小さく抑えることができる。また、前記駆動ユニットの回動に伴い前記剛性部材が後ろ斜め上方に移動するため、この剛性部材により前方からの荷重がフレーム部材等に伝達されないという事態を回避して、フレーム部材等において荷重をより確実に吸収することができる。
【０００９】
本発明において、前トランスミッションの下方に取り付けられたオイルパンを備え、前記オイルパンは、車両の前突時に前記駆動ユニットが後方に移動するのに伴ってその後端が前記サスクロスメンバに前方から当接する位置に配設されているのが好ましい（請求項２）。
【００１０】
この構成によれば、車両の前突時において、前記オイルパンの後端がサスクロスメンバに前方から当接することでトランスミッションの後側下部が前記オイルパンを介してサスクロスメンバにより支持されるため、トランスミッションひいては前記駆動ユニットをその後側下部を中心としてより確実に上方に回動させることができる。
【００１１】
また、本発明において、前記剛性部材は、車幅方向略中央に配設されているのが好ましい（請求項３）。
【００１２】
このようにすれば、前記剛性部材を介して前記駆動ユニットに車幅方向により均一に衝撃荷重が伝達されるので、駆動ユニットをより適切に上方に回動させることができる。
【００１３】
また、本発明において、前記駆動ユニットの上方に配設されて少なくともその後端部分が車体部材により保持された高電圧部品と、当該高電圧部品の後端部に接続された高電圧配線とを備え、前記高電圧部品は、車両の前突時に前記駆動ユニットおよび当該駆動ユニットに取り付けられた前記剛性部材が上方に回動した際に、前記剛性部材が当該高電圧部品の前部に下方から当接する位置に配設されているのが好ましい（請求項４）。
【００１４】
このようにすれば、車両の前突時に高電圧部品を前記剛性部材とともに上方へ回動させて高電圧部品の後方への移動量を小さく抑えることができる。そしてこれにより、高電圧部品とその後方に配設されたダッシュパネル等の車体部材との間で高電圧部品の後端部に接続された高電圧配線が挟まり損傷するのを抑制することができる。
【００１５】
ここで、高電圧部品を保持するための保持部材が高電圧部品の後方に配置されている場合には、高電圧部品が上方へ回動する際にこの保持部材がその回動を妨害するおそれがある。そのため前記保持部材としては、前記高電圧部品の下面の後端部を下方から支持するものが好ましい（請求項５）。
【００１６】
また、本発明において、前記第１連結機構と第２連結機構の少なくとも一方は、車両の前突時に前記駆動ユニットに前方から荷重が加えられるのに伴って前記駆動ユニットと前記フレーム部材との連結を解除可能であるのが好ましい（請求項６）。
【００１７】
このようにすれば、車両の前突時に前記駆動ユニットを容易に上方に回動させることができるとともに、駆動ユニットによりフレーム部材の変形が阻害されるのが抑制される。すなわち、フレーム部材の変形を促進して、この変形により衝突荷重をより確実に吸収することが可能となる。
【００１８】
前記駆動ユニットと前記フレーム部材との連結を解除させるための具体的な構成としては、前記第１連結機構あるいは／および第２連結機構に、車両の前突時に前記駆動ユニットに前方からの衝突荷重が加えられた際に破断する脆弱部を設け、当該脆弱部を破断させることで前記駆動ユニットと前記フレーム部材との連結を解除するものが挙げられる（請求項７）。
【００１９】
また、前記剛性部材としては、電動コンプレッサが挙げられる（請求項８）。
【発明の効果】
【００２０】
以上のように、本発明によれば、車両の前突時に車室に伝達される荷重をより確実に小さく抑えることができる。
【図面の簡単な説明】
【００２１】
【図１】本発明の実施形態に係る電動車両に形成されたモータルーム内の構造を示す概略上面図である。
【図２】図１に示すモータルーム内構造の概略背面図である。
【図３】図１に示す駆動ユニット周辺の前方からの概略斜視図である。
【図４】図１に示す駆動ユニット周辺の後方からの概略斜視図である。
【図５】図１に示す駆動ユニット周辺の概略下面図である。
【図６】図１に示す駆動ユニット周辺の概略上面図である。
【図７】インバータおよび車載充電器の固定構造を示す概略斜視図である。
【図８】図６に対応する前突時の駆動ユニット周辺の概略上面図である。
【図９】駆動ユニット周辺の概略側面図である。
【図１０】図９に対応する前突時の駆動ユニット周辺の概略側面図である。
【発明を実施するための形態】
【００２２】
以下、本発明の実施形態に係る電動車両について図面を参照して説明する。なお、ここでは、電動車両が、燃焼機関を有さずバッテリからの電力供給を受けてモータが回転し、このモータの回転力によってのみ車輪が駆動される電気自動車である場合について説明するが、本発明は、これに限らず、車輪の駆動源としてモータと内燃機関とが併用される、あるいは、モータの駆動源として内燃機関が用いられる、いわゆるハイブリッド車両にも適用可能である。
【００２３】
図１および図２は、前記電動車両の前部に形成されたモータルーム１内の構造を示す概略図である。図３〜図６は、後述する駆動ユニット８および電動コンプレッサ４０の構造をより明確にするべく、モータルーム１内の構造のうち、後述するインバータ（高電圧部品）５２と、車載充電器５４と、補機バッテリ５６およびこれらの支持構造を省略した図である。図７は、前記インバータ５２等の支持構造を示した図である。以下の説明において車幅方向を左右方向（車両前方に向かって右側を右側、前方に向かって左側を左側）といい、車両前後方向を単に前後方向という。
【００２４】
前記モータルーム１は、図１等に示すように、車室の前方に設けられて左右および上下に延びるダッシュパネル６よりも前方に形成されている。
【００２５】
前記モータルーム１の左右両端には、前後方向に延びる左右一対のフロントサイドフレーム（フレーム部材）２ａ，２ｂが設けられている。これらフロントサイドフレーム２ａ，２ｂは、後方に向かって略水平に延びた後、ダッシュパネル６近傍で下方に傾斜している。これらフロントサイドフレーム２ａ，２ｂのうちモータルーム１内に配置される部分の前後方向中央部分にはビードが形成されており、この部分は他の部分よりも脆弱に構成されている。これらフロントサイドフレーム２ａ，２ｂは、後述するように、車両の前突時においてその前端に前方から荷重が加えられると、図８に示すように、前記ビード部分が左右外側に突出する姿勢で折れ曲がり、この変形により衝突荷重を吸収するよう構成されている。なお、図８では、サスクロスメンバ５は破線で示している。
【００２６】
モータルーム１内には、前輪のサスペンションが設けられている。このサスペンションは従来と同様の構造を有しておりその詳細な構造の説明は省略するが、サスペンション本体（不図示）と、図１等に示すように、サスペンション本体を支持するための左右一対のサスペンションタワー３，３およびサスクロスメンバ５を有している。前記サスペンションタワー３は、上方に延びる車体部材であり、前記ダッシュパネル６近傍において前記フロントサイドフレーム２ａ，２ｂにそれぞれ取り付けられている。前記サスクロスメンバ５は、モータルーム１の下部であって前記フロントサイドフレーム２ａ，２ｂ間に配設されている。このサスクロスメンバ５は、前記フロントサイドフレーム２ａ、２ｂに固定されている。このサスクロスメンバ５は、前記ダッシュパネル６付近から前方に向かって延びる板状部材であって、左右に延びるサスクロスメンバ本体５ａと、このサスクロスメンバ本体５ａの左右両前端から前方に向かって突出する突出部５ｂ，５ｂとを有している。
【００２７】
前記モータルーム１内であって、前記フロントサイドフレーム２ａ，２ｂ間、かつ、前記サスクロスメンバ５よりも上側となる領域には、モータユニット２０とトランスアクスル３０とからなる駆動ユニット８と、電動コンプレッサ（剛性部材）４０と、インバータ５２と、車載充電器５４と、補機バッテリ５６とが設けられている。
【００２８】
前記モータユニット２０は、モータ本体（不図示）と、このモータ本体等を収容するモータユニットハウジング２０ａとを有する。前記モータ本体は、永久磁石を含み所定の回転軸周りに回転するロータと、このロータの外周に配置されてステータコアにコイルが巻きつけられることで構成されたステータとを有する。前記回転軸の一方端はロータよりも外側に延びておりロータの回転力を外部に伝達するための出力軸を構成している。前記モータユニットハウジング２０ａは、略円筒状を有し、前記モータ本体はその回転軸とモータユニットハウジング２０ａの中心軸とが同軸となる姿勢で、このモータユニットハウジング２０ａ内に収容されている。
【００２９】
前記トランスアクスル３０は、前記モータの出力を車輪に伝達するためのものであり減速機構（トランスミッション）と差動機構とを含む。このトランスアクスル３０は、図３および図４に示すように、前記モータユニット２０の前記回転軸方向の一方端（出力軸側の端部）に連結部２９を介して連結されている。このトランスアクスル３０は、前記モータ本体の出力軸に連結されてモータ本体からの回転力が伝達される伝達軸（不図示）と、この回転を減速するための複数のギヤ（不図示）と、車輪に接続されたドライブシャフト４（図２）と連結されるデフ軸（不図示）を含み前記減速されたモータ本体の回転を車輪に伝達するためのデファレンシャルギヤ（不図示）と、これら伝達軸およびギヤを収容するトランスアクスルハウジング３８とを有する。このトランスアクスル３０は、前記モータ本体の出力軸と前記デフ軸ひいてはドライブシャフト４とが互いに平行となる姿勢で、前記モータユニット２０に連結されている。
【００３０】
このように構成された前記モータユニット２０とトランスアクスル３０とを含む駆動ユニット８は、図４に示すように、その駆動軸すなわち前記モータ本体の回転軸およびデフ軸が左右に延びる姿勢で、前記フロントサイドフレーム２ａ，２ｂおよび前記サスクロスメンバ５に連結され、これらに支持されている。
【００３１】
具体的には、前記駆動ユニット８は、左側マウント装置（第１連結機構）８０により左側のフロントサイドフレーム２ｂに連結支持されており、右側マウント装置（第２連結機構）９０により右側のフロントサイドフレーム２ａに連結支持されており、後側マウント装置（第３連結機構）１００により前記サスクロスメンバ４に連結支持されている。
【００３２】
前記左マウント装置８０は、図３および図４に示すように、駆動ユニット８に固定された駆動ユニット側ブラケット８２と、左側のフロントサイドフレーム２ｂに固定された車体側ブラケット８４とを有している。前記駆動ユニット側ブラケット８２は、トランスアクスルハウジング３８の左端上端部分に、上方に突出する状態で固定されている。前記車体側ブラケット８４は、前記左側のフロントサイドフレーム２ｂの上面に上方に突出する状態で固定されている。そして、これら駆動ユニット側ブラケット８２と前記車体側ブラケット８４とがゴムブッシュを挟んで連結されることで、前記駆動ユニット８の左側上端部は左側のフロントサイドフレーム２ｂに連結され、駆動ユニット８は左側のフロントサイドフレーム２ｂにマウント支持（弾性支持）されている。
【００３３】
前記右マウント装置９０は、図３および図４に示すように、駆動ユニット８に固定された駆動ユニット側ブラケット９２と、右側のフロントサイドフレーム２ｂに固定された車体側ブラケット９４とを有している。前記駆動ユニット側ブラケット９２は、前記モータユニットハウジング２０ａの右端上端部分に、この端部から右側に延びる状態で固定されている。前記車体側ブラケット９４は、前記右側のフロントサイドフレーム２ａの左側においてこのフロンサイドフレーム２ａにその上面よりも上方に突出した状態で固定されている。そして、これら車体側ブラケット９４と前記駆動ユニット側ブラケット９２の右端部とがゴムブッシュを含むマウント本体（不図示）を挟んで連結されることで、前記駆動ユニット８の右側上端部は前記右側のフロントサイドフレーム２ａに連結され、駆動ユニット８は右側のフロントサイドフレーム２ａにマウント支持（弾性支持）されている。なお、前記右マウント装置９０と左マウント装置８０とはほぼ同じ高さに配置されている。
【００３４】
前記右マウント装置９０の駆動ユニット側ブラケット９２には、その左右中央部分に、その左右外側の部分よりも破断しやすく所定値以上の荷重が加えられることで破断する脆弱部９２ａが設けられている。この脆弱部９２ａは、駆動ユニット側ブラケット９２のうち前記駆動ユニット８に固定される左側部分と、前記フロントサイドフレーム２ａに固定される右側部分との間に介在しており、この脆弱部９２ａが破断すると駆動ユニット８と前記フロントサイドフレーム２ａとの連結は解除される。
【００３５】
前記後側マウント装置１００は、図５に示すように、トルクロッド１０２と、駆動ユニット側ブラケット１０４と、サスクロス側ブラケット１０６と、ゴムブッシュ１０７，１０８とを有している。
【００３６】
前記トルクロッド１０２は、前記駆動ユニット８の左右方向に延びる軸周りの回動を適切な量に制御するためのものである。すなわち、駆動ユニット８は、前述のようにその左右上端部が弾性支持されることで、加減速等において左右に延びる軸周りに回動可能であるが、前記トルクロッド１０２はこの回動が過剰になるのを規制する。このトルクロッド１０２は、板状部材であり、図４および図５に示すように、車幅方向略中央付近において前記トランスアクスルハウジング３８の後端下端部からその後方に配置されたサスクロスメンバ５に向かって延びている。
【００３７】
前記トランスアクスルハウジング３８の後端下端部からは、右側すなわち車幅方向中央側に向かってロッド３８ａが突出している。前記後側マウント装置１００の駆動ユニット側ブラケット１０４は、このロッド３８ａ近傍に固定されている。前記トルクロッド１０２の前端は、前記ロッド３８ａおよび駆動ユニット側ブラケット１０４により、その左右両側にゴムブッシュ１０７が取り付けられた状態で、トランスアクスルハウジング３８ひいては駆動ユニット８の後端下端部に前記ロッド３８ａすなわち左右に延びる軸周りに回動可能に固定されている。
【００３８】
前記サスクロス側ブラケット１０６は、前記サスクロスメンバ５の左右中央部分に固定されている。このサスクロス側ブラケット１０６は、一対の円板部材からなり、左右方向に互いに平行な姿勢で、サスクロスメンバ５の上面から前方かつ上方に突出する姿勢で固定されている。前記トルクロッド１０２の後端は、このサスクロス側ブラケット１０６にゴムブッシュ１０８を介して挟持されており、このサスクロス側ブラケット１０６を介して前記サスクロスメンバ５に左右に延びる軸周りに回動可能に固定されている。
【００３９】
前記オイルパン３９は、前記トランスアクスル３０の各ギヤに潤滑油として供給されたオイルが流入する部分である。このオイルは、前記各ギヤに供給された後、オイルパン３９に流入後、トランスアクスルハウジング３８のうちデファレンシャルギヤ側の部分に貯留される。本実施形態では、このオイルパン３９は、図５に示すように、略矩形箱状を有し、トランスアクスルハウジング３８内のオイルが流入するように、前記トランスアクスルハウジング３８の下方にこのトランスアクスルハウジング３８の内部と連通した状態で固定されている。このオイルパン３９は、図９に示すように、前記トランスアクスルハウジング３８の下方に、このトランスアクスルハウジング３８の前端付近から前後方向中央付近まで、後方に向かうに従って下方に傾斜した状態で配設されている。また、このオイルパン３９は、図５および図９に示すように、その後端部が前記サスクロスメンバ５の突出部５ｂとほぼ同じ高さ位置であって、通常時にはこの突出部５ｂから前方に離間する一方、車両の前突時にはその後端部が前記サスクロスメンバ５の突出部５ｂと当接する位置に配設されている。
【００４０】
前記電動コンプレッサ４０は、エアコンユニットを構成するものであり、冷媒を膨張させるコンプレッサ本体と、このコンプレッサ本体を収容する略円筒状のコンプレッサケース４１とを有している。この電動コンプレッサ４０は、図３等に示すように、前記駆動ユニット８よりも小さい。この電動コンプレッサ４０は、コンプレッサケース４１の中心軸が左右方向に延びる姿勢で、前記モータユニットハウジング２０ａの外周面前部にブラケット４８を介して固定されている。この固定状態において、電動コンプレッサ４０の前端は、駆動ユニット８の前端よりも前方に位置し、電動コンプレッサ４０の下端は前記駆動ユニット８のうち前記モータユニット２０の出力軸すなわち中心軸よりも上方に位置している。また、電動コンプレッサ４０は、車幅方向略中央に配設されており、その上端は前記駆動ユニット８の上端よりも上方に位置しているとともに、その前端は前記フロントサイドフレーム２ａ，２ｂの前端よりも後方に位置している。
【００４１】
前記インバータ５２は、車室フロアの下側に設けられた主バッテリ５０からの直流電力を交流電力に変換して前記モータ本体に電力を供給するためのものであり、図１および図２に示すように、高電圧の主バッテリ５０と第１高電圧ケーブル７２により連結されているとともに、モータニット２０と第２高電圧ケーブル７４により連結されている。このインバータ５２は、前記第２高電圧ケーブル７４の長さがより短くなるようモータユニット２０の上方に配置されている。また、このインバータ５２は、後述するように、車両の前突時に電動コンプレッサ４０が回動した際にこの電動コンプレッサ４０によりその前部が上方に押し上げられる位置に配設されている。このインバータ５２は、略矩形箱状のインバータケース５２ａを有し、インバータ回路はこのインバータケース５２ａの内側に収容されている。
【００４２】
前記第１高電圧ケーブル７２は、その長さがより短くなるように、インバータ５２の後端左側すなわち左右方向中央であって前記主バッテリ５０により近い位置に接続されている。この第１高電圧ケーブル７２は、前記インバータ５２の後端からこのインバータ５２とダッシュパネル６との間で下方に延びた後、ダッシュパネル６の後方に配置された前記主バッテリ５０に接続されている。
【００４３】
前記第２高電圧ケーブル７４は、前記インバータ５２とダッシュパネル６との間に配索されており、前記インバータ５２の後端右側から前記ダッシュパネル６の前方で下方に延びた後、前方に湾曲してモータユニット２０の右側に接続されている。
【００４４】
前記インバータ５２は、図１および図７に示すように、左右のフロントサイドフレーム２ａ，２ｂの前端付近にこれらにわたって車幅方向に延びる状態で固定された前側ステー１１０と、この前側ステー１１０よりも後方に位置して左右のサスペンションタワー３，３にこれらにわたって車幅方向に延びる状態で固定された後側ステー１２０とに固定されている。
【００４５】
具体的には、前記前側ステー１１０には、左右一対の前側インバータ取付部１１２が固定されている。これら前側インバータ取付部１１２は、上下方向に延びる取付け面１１２ａを有している。前記インバータ５２は、その前面下端部に前記取付面１１２ａが前方から当接してこれらがボルトにより締結されることで、その前端部が前側インバータ取付部１１２に支持されている。
【００４６】
また、前記後側ステー１２０には、左右一対の後側インバータ取付部１２２が固定されている。これら後側インバータ取付部１２２は、後側ステー１２０から上方に延びて後方に湾曲した後、後方に向かって水平方向に延びる形状を有しており、その上端部に、水平方向に延びる取付面１２２ａを有している。前記インバータ５２は、その下面後端部に前記取付面１２２ａが下方から当接してこれらがボルトにより締結されることで、その下面後端部が後側インバータ取付部１２２により支持されている。
【００４７】
前記車載充電器５４は、車両外部の電源（例えば１００Ｖ又は２００Ｖの家庭用電源）から電力を入力して前記主バッテリ５０を充電するためのものである。この車載充電器５４は、図１および図２に示すように、略矩形箱状の充電器ケース５４ａを有し、この充電器ケース５４ａ内側に充電回路が収容されている。この車載充電器５４も前記主バッテリ５０と電力ケーブル（不図示）で接続されており、この電力ケーブルの長さがより短くなるように、この車載充電器５４は、前記駆動ユニット８の上方であって前記インバータ５０の左側の左右方向中央付近に配設されている。
【００４８】
前記車載充電器５４も、前記前側ステー１１０および後側ステー１２０に固定されている。具体的には、各ステー１１０，１２０に設けられた充電器取付部１１４，１２４によりその前端および後端部が支持されている。
【００４９】
前記補機バッテリ５６は、電動パワーステアリング用モータやワイパーモータ等の各種アクチュエータに電力を供給するためのものある。この補機バッテリ５６は、図１および図２に示すように、前記駆動ユニット８の左端の上方であって前記車載充電器５４の左側に配設されている。この補記バッテリ５６は、ブラケット（不図示）により左側のフロントサイドフレーム２ｂに固定されている。
【００５０】
以上のように構成された本電動車両における前突時の作用について説明する。
【００５１】
本電動車両では、前述のように、前記電動コンプレッサ４０の前端よりもフロントサイドフレーム２ａ，２ｂの前端の方が前方に位置している。そのため、車両が前突すると、電動コンプレッサ４０よりも先にフロントサイドフレーム２ａ，２ｂに後方に向かう衝突荷重が加えられる。この荷重を受けてフロントサイドフレーム２ａ，２ｂは、前述のように、そのビード部分を基点とした折れ曲がりを開始する。その後、前記電動コンプレッサ４０およびこの電動コンプレッサ４０を介して前記駆動ユニット８に後方への荷重が加えられる。ここで、前記電動コンプレッサ４０は車幅方向略中央に設けられており、前記駆動ユニット８には、車幅方向にほぼ均一に荷重が加えられる。
【００５２】
前記電動コンプレッサ４０は、前述のように、その前端が駆動ユニット８の前端よりも前方に位置し、かつ、その下端が前記駆動ユニット８のうち前記モータユニット２０の出力軸すなわち中心軸よりも上方に位置する状態で、前記駆動ユニット８の前部に固定されている。そのため、電動コンプレッサ４０に後方への荷重が加えられると、この電動コンプレッサ４０を介して、駆動ユニット８には、その前方斜め上方部位に後向きの荷重が加えられる。
【００５３】
前記駆動ユニット８は、前述のように、その左右両端の上端部およびその後側下端部において前記各マウント装置に車幅方向に延びる軸周りに回動可能に支持されている。また、駆動ユニット８が前記荷重を受けて後退するのに伴い前記オイルパン３９の後端部は前記サスクロスメンバ５の突出部５ｂに当接する。そのため、前記のように前方斜め上方部位に後ろ向きの荷重が加えられると、駆動ユニット８は、前記後側マウント装置１００および前記オイルパン３９の後端部付近すなわちその後側下端部を支点として上方（図１０のＲ方向）に回動し、これに伴い電動コンプレッサ４０は後ろ斜め上方へ移動する。ここで、駆動ユニット８に荷重が加えられると前記右側マウント装置９０の駆動ユニット側ブラケット９２に設けられた脆弱部９２ａは破断し、右側フロントサイドフレーム２ｂと駆動ユニット８との連結は解除される。従って、前記駆動ユニット８は容易に上方へ回動する。
【００５４】
前記駆動ユニット８が回動して前記電動コンプレッサ４０が後ろ斜め上方へ移動すると、この電動コンプレッサ４０および駆動ユニット８に妨害されることなく前記フロントサイドフレーム２ａ，２ｂには前方からの荷重が適切に加えられる。そのため、駆動ユニットおよび電動コンプレッサ４０の回動とともに、前記フロントサイドフレーム２ａ，２ｂはさらに後方（左右外側）へと折れ曲がる。すなわち、電動コンプレッサ４０は、容易に変形できない剛性部材として構成されている。そのため、この電動コンプレッサ４０が後方に移動しない場合には、前方からの荷重がこの電動コンプレッサ４０で受けとめられる結果、フロントサイドフレーム２ａ，２ｂに荷重が伝達されずその折れ曲がりが阻害される。これに対して、本電動車両では前記電動コンプレッサ４０が後ろ斜め上方へ移動するため、この電動コンプレッサ４０の移動とともにフロントサイドフレーム２ａ，２ｂに荷重が適切に伝達される。特に、前記脆弱部９２ａの破断により、右側フロントサイドフレーム２ｂと駆動ユニット８との連結が解除されており、フロントサイドフレーム２ｂは、その剛性が小さくされることで容易に折れ曲がる。
【００５５】
また、前記駆動ユニット８が回動して前記電動コンプレッサ４０が後ろ斜め上方へ移動すると、前記インバータ５２の前端下面にこの電動コンプレッサ４０が当接し、インバータ５２の前端は電動コンプレッサ４０により上方に押し上げられる。前述のように、前記インバータ５２は、その下面後端部が前記後側インバータ取付部１２２により下方から支持されており、その後面は、この後面が後方から支持されている場合に比べて容易に傾斜することができる。そのため、前記インバータ５２は、その前端が電動コンプレッサ４０により上方に押し上げられると前記後側インバータ取付部１２２との連結部分を支点として上方に回動する。
【００５６】
以上のように、本電動車両によれば、車両の前突時に電動コンプレッサ４０および駆動ユニット８をその後端下端部を支点として上方に回動させることでこの駆動ユニット８に加えられる荷重を分散させてこの駆動ユニット８を介して車室側に加えられる荷重を小さく抑えることができるとともに、電動コンプレッサ４０を後ろ斜め上方へ逃がすことでサイドフレーム２ａ、２ｂに適切に荷重を伝達させてサイドフレーム２ａ，２ｂの変形すなわち荷重の吸収を確実に行い車室側への荷重の伝達を小さく抑えることができる。
【００５７】
また、車両の前突時に、前記インバータ５２がその後端下端部を支点として上方に回動するため、インバータ５２が後方に向かって水平方向に移動する場合に比べてその後方への移動量を小さく抑えることができ、このインバータ５２の後面に取り付けられた前記第１高電圧ケーブル７２および第２高電圧ケーブル７４がこの後面と前記ダッシュパネル６との間に挟まり損傷するのを抑制することができる。
ここで、前記オイルパン３９の位置は前記に限らない。ただし、駆動ユニット８に取り付けられるオイルパン３９を、トランスアクスル３８の下方であって前記サスクロスメンバ５に前方から当接する位置すなわちその後端部がサスクロスメンバ５と当接する位置に設ければ、この当接によりオイルパン３９の後端を支点として駆動ユニット８を容易に上方に回動させることができる。
【００５８】
また、前記電動コンプレッサ４０の車幅方向の位置は前記略中央に限らない。ただし、この位置に設ければ、電動コンプレッサ４０ひいては駆動ユニット８により均一に前方からの荷重が加えられるため、これらを適切に回動させることができる。また、例えば、電動コンプレッサ４０を車幅方向中央からインバータ５２側にオフセットした位置としてもよい。このようにすれば、車両の前突時においてインバータ５２を適切に回動させることができる。
【００５９】
また、前記右マウント装置９０の駆動ユニット側ブラケット９２の脆弱部９２ａは省略可能である。例えば、前記フロントサイドフレーム２ａ，２ｂが上方に折れ曲がる場合、すなわち、側面視でくの字型に折れ曲がる場合には、車両の前突時においてフロントサイドフレーム２ａ，２ｂと駆動ユニット８との連結を維持しておいたとしても、フロントサイドフレーム２ａ，２ｂを駆動ユニット８とともに上方に折れ曲がらせることができるため、前記脆弱部９２ａを省略してもよい。ただし、前記実施形態のように、フロンとサイドフレーム２ａ，２ｂが後方に折れ曲がる場合、すなわち、平面視でくの字型に折れ曲がる場合等には、これらが連結されていることで駆動ユニット８の上方への回動およびフロントサイドフレーム２ａ，２ｂの折れ曲がりが妨害されるので、前記脆弱部９２ａを設けて車両の前突時に前記駆動ユニット８とフロントサイドフレーム２ａとの連結を解除するのが好ましい。なお、前記連結を解除するための機構は、破断によりこの連結を解除するという機構に限らない。また、この連結を解除するための機構は、両フロントサイドフレーム２ａ，２ｂに設けてもよい。
【００６０】
また、前記インバータ５２の取り付け構造は前記に限らない。ただし、インバータ５２の下面後端部を前記後側インバータ取付部１２２により下方から支持する構造とすれば、インバータ５２をより容易にその下側後端部を支点として上方に回動させることができ、これにより、前記第１高電圧ケーブル７２および第２高電圧ケーブル７４の損傷を確実に抑制することができる。また、前記インバータ５２の代わりあるいはインバータ５２とともに前記車載充電器５４や補機バッテリ５６等に前記電動コンプレッサ４０を当接させるようにしてもよい。
【００６１】
また、前記駆動ユニット８の前斜め上方に配設される剛性部材は前記電動コンプレッサ４０に限らない。例えば、電動コンプレッサ４０の代わりにバキュームポンプやウォータポンプ等を配置してもよい。
【符号の説明】
【００６２】
１  モータルーム
２  フロントサイドフレーム（フレーム部材）
５  サスクロスメンバ
６  ダッシュパネル
２０  モータユニット
３０  トランスアクスル（トランスミッション）
４０  電動コンプレッサ（剛性部材）
５２  インバータ（高電圧部品）
８０  左側マウント装置（第１連結機構）
９０  右側マウント装置（第２連結機構）
９２ａ  脆弱部
１００  後側マウント装置（第３連結機構）
１２２  後側インバータ取り付け部（保持部材）
【図１】
0005494499.tif 000002
【図２】
0005494499.tif 000003
【図３】
0005494499.tif 000004
【図４】
0005494499.tif 000005
【図５】
0005494499.tif 000006
【図６】
0005494499.tif 000007
【図７】
0005494499.tif 000008
【図８】
0005494499.tif 000009
【図９】
0005494499.tif 000010
【図１０】
0005494499.tif 000011